(57)【要約】【課題】飼い主の経済的負担を軽減するとともに、環境汚染の抑制に貢献することのできるペットシート継ぎを提供する。【解決手段】一辺の長さが１０〜２０ｃｍの平面視方形をなし、全面または周辺部を除く大部分において透水性を有し、周辺部が互いに固着されたシート４、５と、シート５の周辺部下面に塗布された粘着剤層６と、粘着剤層６の下面に剥離可能に付着させられた剥離紙７と、上下のシート間に充填された吸水性樹脂８とを備えることを特徴とする。【選択図】図１
2008295362.tif 000002
【特許請求の範囲】
【請求項１】
一辺の長さが１０〜２０ｃｍの平面視方形をなし、全面または周辺部を除く大部分において透水性を有する、一枚のシートまたは積層されて周辺部が互いに固着された複数枚のシート群と、
前記シートまたはシート群の周辺部最下面に塗布された粘着剤層と、
前記粘着剤層の下面に剥離可能に付着させられた剥離紙と
を備えることを特徴とするペットシート継ぎ。
【請求項２】
前記シート群の一つのシートとその上または下のもう一つのシートとの間に吸水性樹脂が充填されている請求項１に記載のペットシート継ぎ。
【請求項３】
請求項１に記載のペットシート継ぎが複数個積層され、前記剥離紙が直下のペットシート継ぎにおける粘着剤層と対応する周辺部最上面に固着されていることを特徴とするペットシート継ぎ束。
【請求項４】
前記シートまたはシート群が最下面が向き合うように二つ折りにされており、前記シートまたはシート群を展開すると同時に前記剥離紙が粘着剤層から剥離するように剥離紙の他面が前記最下面に固着されている請求項１に記載のペットシート継ぎ。
【発明の詳細な説明】
【技術分野】
【０００１】
この発明は、室内ペットの排泄物を処理するペットシートと合わせて用いられるシート継ぎに関する。
【背景技術】
【０００２】
ペットが室内で小便をするときに床の汚れを防止するペットシートが市販されている。すなわち、ペットをしつけることにより、便意をもよおすとペットが図３に示すようにペットシート１の上に乗り、そこで用を足すようになる。
一般にペットシートは、ポリエチレン、ポリプロピレン、ポリ塩化ビニルなどの非透水性シートと、その上に重ね合わせられた不織布などの透水性シートと、それらシート間に充填された吸水性樹脂とからなる。両シートは、周辺部で縫合、溶着などされて吸水性樹脂がシート外に散乱しないようにされている。また、非透水性シートの裏面に粘着剤層が形成されて、床にペットシートを固定できるようにしたものも提案されている（特許文献１、２）。いずれにしてもペットシート１の面積は、図３に示すようにペットの占める平面積よりも十分に大きい、例えば４０ｃｍ×５０ｃｍ程度であり、小さくてもその半分の２５ｃｍ×４０ｃｍ程度である。
【特許文献１】特開２０００−２６２１７２
【特許文献２】特開２００３−３２５０６８
【発明の開示】
【発明が解決しようとする課題】
【０００３】
しかし、一回のペットの排尿に必要な吸水性樹脂量は、シート間に充填されている量よりもはるかに少なくて足りるし、透水性シートの濡れる面積も直径５ｃｍから８ｃｍ程度であってわずかである。にも関わらず、ペット特に犬は清潔好きであることから、一度尿で汚染されたペットシートの上を踏むことを嫌う。従って、他所で排尿されるのを避けるためには毎回ペットシートを取り替えなければならず、飼い主の経済的負担が大きい。
それ故、この発明の課題は、飼い主の経済的負担を軽減するとともに、環境汚染の抑制に貢献することのできるペットシート継ぎを提供することにある。
【課題を解決するための手段】
【０００４】
その課題を解決するために、この発明のペットシート継ぎは、
一辺の長さが１０〜２０ｃｍの平面視方形をなし、全面または周辺部を除く大部分において透水性を有する、一枚のシートまたは積層されて周辺部が互いに固着された複数枚のシート群と、
前記シートまたはシート群の周辺部最下面に塗布された粘着剤層と、
前記粘着剤層の下面に剥離可能に付着させられた剥離紙と
を備えることを特徴とする。
【０００５】
この発明のペットシート継ぎ（以下、「シート継ぎ」）は、公知のペットシートと合わせて以下のごとく用いられる。先ず、ペットがペットシート１の上で排尿し、図１（ａ）に斜視図で示すようにシート１のある部分Ｗが汚れたとき、シート継ぎから剥離紙を剥がす。そして、図１（ｂ）に斜視図で示すように部分Ｗを覆うようにシート継ぎ２を当てて粘着剤層を介して固定する。すると汚染部分Ｗが見えなくなり、臭いも緩和されることから、ペットは再びシート１の上を踏み、シート１上の適宜の場所で排尿する。別の場所で排尿した場合は、二枚目のシート継ぎ２を同様に当てることにより、シート１を続けて使用することができる。シート継ぎ２の上で排尿しても、シート継ぎを構成するシートもしくはシート群の全面または大部分が透水性を有するので、尿は透過してシート１に吸収される。従って、更にその上に二枚目のシート継ぎ２を当てて続けてシート１を使用してもよい。
【０００６】
この発明のシート継ぎ２において、前記シート群の一つのシートとその上または下のもう一つのシートとの間に吸水性樹脂が充填されていると好ましい。これによりシート継ぎ２の下に汚染部分Ｗが存在してもシート継ぎ２の上面はきれいなシート１と同様に感ぜられ、ペットが確実にシート１上で繰り返して排尿するし、ペット自身も体をきれいに保つことができるからである。
シート継ぎ２のシートは、シート１の三分の一〜六分の一程度の面積しか有しないし、方形であって加工が容易である。従って、シート継ぎ２は安価である。
【発明の効果】
【０００７】
以上のように、安価なシート継ぎを当てるだけでペットシートを繰り返して使用することができるので、飼い主の経済的負担が軽減される。また、ペットシートの廃棄量を減らすことができるので、環境汚染を抑制することができる。
【発明を実施するための最良の形態】
【０００８】
−実施形態１−
図２（ａ）は第一の実施形態にかかるシート継ぎを示す平面図、図２（ｂ）は同じく厚さ方向断面図、図２（ｃ）は積層された５枚のシート継ぎからなるシート継ぎ束を示す厚さ方向断面図である。
各シート継ぎ２は、上下二枚の透水性シート４、５を備える。透水性シート４、５は、いずれも不織布からなり、一辺の長さが１０〜２０ｃｍの平面視方形をなす。そして、下シート５の周辺部下面に粘着剤層６が塗布され、粘着剤層６の下面に剥離紙７が剥離可能に付着させられている。上下のシート４、５間には吸水性樹脂８が充填され、シート４、５の周辺部同士を溶着もしくは縫合することにより、封じられている。
【０００９】
最下段のシート継ぎ２を除く下からｎ段目のシート継ぎ２の剥離紙７は（ｎ−１）段目のシート継ぎ２の周辺部上面に接着剤等で固定されている。従って、多数枚のシート継ぎ２がシート継ぎ束３となって１セットで販売され、保管される。使用時は最上段のシート継ぎ２から順番に取り出す。剥離紙７は次の段のシート継ぎ２の上面に残り、最下段のシート継ぎ２の剥離紙７のみ単独で捨てられる。
【００１０】
−実施形態２−
図４（ａ）は第二の実施形態にかかるシート継ぎを示す厚さ方向断面図、図４（ｂ）は同じく展開状態を示す断面図である。
シート継ぎ１２は、一辺の長さが１０〜２０ｃｍの平面視方形をなす不織布製透水性シート１４を備える。シート１４は二つ折りにされており、折り線と対向する開放端側の一辺に沿って粘着剤層１６が形成され、他辺に沿って剥離紙１７が固着されている。そして、粘着剤層１６の内側すなわち折り線側に剥離紙１７’が固着され、剥離紙１７の内側すなわち折り線側に粘着剤層１６’が形成されている。シート継ぎ１２は、二つ折りの状態では剥離紙１７が粘着剤層１６に、剥離紙１７’が粘着剤層１６’にそれぞれ剥離可能に付着している。
【００１１】
シート継ぎ１２を使用するときは、シート１４を展開する。すると、図４（ｂ）に示すように粘着剤層１６、１６’が露出するとともに、剥離紙１７は粘着剤層１６’に隣接する位置に、剥離紙１７’は粘着剤層１６に隣接する位置に残る。そして、シート継ぎ１２を図１（ａ）に示すシート継ぎ２と同様にペットシート１の汚染部分Ｗに当てて使用する。この実施形態では吸水性樹脂が用いられていないが、実施形態１と同様にシート１４にもう一枚のシートを重ね、その間に吸水性樹脂を充填してもよい。
【図面の簡単な説明】
【００１２】
【図１】ペットシート継ぎの適用方法を説明するもので、（ａ）は適用前、（ｂ）は適用状態を示す。
【図２】実施形態１のペットシート継ぎを示し、（ａ）は平面図、（ｂ）は断面図、（ｃ）はシート継ぎ束の断面図である。
【図３】ペットがペットシートを使用している状態を示す図である。
【図４】実施形態２のペットシート継ぎを示し、（ａ）は断面図、（ｂ）は展開した状態の断面図である。
【符号の説明】
【００１３】
１  ペットシート
２、１２  ペットシート継ぎ
３  ペットシート継ぎ束
４、５、１４  シート
６、１６、１６’  粘着剤層
７、１７、１７’  剥離紙
８  吸水性樹脂
【図１】
2008295362.tif 000003
【図２】
2008295362.tif 000004
【図３】
2008295362.tif 000005
【図４】
2008295362.tif 000006